(57)【要約】【課題】測定パラメータを設定する際の作業効率の向上を図る。【解決手段】測定装置１は、予め設定される測定パラメータの設定値に基づいて測定を行うものであり、設定値として設定可能な全桁数の数値を表示する表示制御手段６ａと、表示された全桁から任意に選択される桁を起点とした増減操作に伴って数値を可変制御する数値制御手段６ｂとを備える。【選択図】図１
2018096873.tif 000002
【特許請求の範囲】
【請求項１】
設定された測定パラメータの設定値に基づいて測定を行う測定装置（１）において、
前記設定値として設定可能な全桁数の数値を表示する表示制御手段（６ａ）と、
前記全桁数から任意に選択される桁を起点とした増減操作に伴って数値を可変制御する数値制御手段（６ｂ）とを備えたことを特徴とする測定装置。
【請求項２】
前記数値制御手段（６ｂ）は、最大値が正の値をもつ前記設定値とする場合、前記全桁数から最上位の桁を選択して数値を増減しているときに、その数値が最上位の桁の最大値を超えると全桁の数値を前記最大値になるように変更し、最小値が負の値をもつ前記設定値とする場合、前記全桁数から最上位の桁を選択して数値を増減しているときに、その数値が最上位の桁の最小値より小さくなると全桁の数値を前記最小値になるように変更することを特徴とする請求項１記載の測定装置。
【請求項３】
設定された測定パラメータの設定値に基づいて測定を行う測定装置（１）のパラメータ設定方法において、
前記設定値として設定可能な全桁数の数値を表示するステップと、
前記全桁数から任意に選択される桁を起点とした増減操作に伴って数値を可変制御するステップとを含むことを特徴とする測定装置のパラメータ設定方法。
【請求項４】
最大値が正の値をもつ前記設定値とする場合、前記全桁数から最上位の桁を選択して数値を増減しているときに、その数値が最上位の桁の最大値を超えると全桁の数値を前記最大値になるように変更し、最小値が負の値をもつ前記設定値とする場合、前記全桁数から最上位の桁を選択して数値を増減しているときに、その数値が最上位の桁の最小値より小さくなると全桁の数値を前記最小値になるように変更するステップを含むことを特徴とする請求項３記載の測定装置のパラメータ設定方法。
【発明の詳細な説明】
【技術分野】
【０００１】
本発明は、設定された測定パラメータの設定値に基づいて所望の測定を行う測定装置及び該装置のパラメータ設定方法に関する。
【背景技術】
【０００２】
従来、例えば下記特許文献１に開示されるように、主に値の増減に使用されるロータリーエンコーダと、任意の値を入力するテンキーとを備え、これらロータリーエンコーダやテンキーの操作により表示部に表示された測定パラメータの数値を変更して測定装置における各測定パラメータの設定を行うものが知られている。
【０００３】
また、上述したロータリーエンコーダやテンキーに代わるものとして、アプリケーションや外付けのキーパッド、マウスやタッチスクリーンによるポインティングデバイスを用いて測定パラメータの設定を行うものも知られている。
【０００４】
ところで、近年、携帯端末やクラウドコンピューテイングの普及により、データ通信量が増加の一途をたどり、データ通信量の増加に伴って伝送速度も著しく高速化している。このため、この種のデータを取り扱う測定装置では、より多くの測定パラメータを設定して被測定物の測定を行う必要があった。
【０００５】
例えば誤り率測定装置では、被測定物が電気的なストレスをどの程度許容できるかを測定するため、パターン発生器とエラー検出器とを備え、パターン発生器から既知パターンの電気的ストレス信号をテスト信号として印可し、このテスト信号を被測定物内部又は外部でループバックし、エラー検出器で受信してテスト信号との比較により、ストレスの印加量に対してエラーの有無を測定するジッタ耐力測定を行っている。
【０００６】
そして、この種の誤り率測定装置におけるパターン発生器の設定画面は、例えば図２に示すように、「Ｏｕｔｐｕｔ」、「Ｐａｔｔｅｒｎ」、「Ｅｒｒｏｒ  Ａｄｄｉｔｉｏｎ」、「Ｐｒｅ−Ｃｏｄｅ」、「Ａｕｘ」、「Ｃｌｏｃｋ」などの複数の設定項目があり、これら設定項目毎に多くの測定パラメータが存在し、さらに設定可能な数値の最大値や最小値も測定パラメータ毎に異なっている。
【０００７】
ここで、上述した誤り率測定装置の測定パラメータをキーパッドやマウスを用いて設定する従来のパラメータ設定方法について説明する。以下、図２の設定画面１１の設定項目「Ａｕｘ」における測定パラメータ「Ｄｅｌａｙ」を初期値「０」ｂｉｔから設定値「１００００００」ｂｉｔｓに設定する場合を例にとって説明する。
【０００８】
キーパッドを用いて設定値「１００００００」に設定する場合は、図２の設定画面１１の設定項目「Ａｕｘ」において、数値を編集する測定パラメータ「Ｄｅｌａｙ」の設定入力ボックス１２を選択する。そして、測定パラメータ「Ｄｅｌａｙ」の設定入力ボックス１２に「１」を１回入力した後、続けて「０」を６回入力する。
【０００９】
マウスを用いて設定値「１００００００」に設定する場合は、図２の設定画面１１の設定項目「Ａｕｘ」において、数値を編集する測定パラメータ「Ｄｅｌａｙ」において、図５（ａ）の斜線で示す設定入力ボックス１２の「０」を選択し、数値を増やして桁上げし、設定入力ボックス１２に十の位を表示する。次に、図５（ｂ）の斜線で示す設定入力ボックス１２の十の位を選択し、数値を増やして桁上げし、設定入力ボックス１２に百の位を表示する。次に、図５（ｃ）の斜線で示す設定入力ボックス１２の百の位を選択し、数値を増やして桁上げし、設定入力ボックス１２に千の位を表示する。次に、図５（ｄ）の斜線で示す設定入力ボックス１２の千の位を選択し、数値を増やして桁上げし、設定入力ボックス１２に万の位を表示する。次に、図５（ｅ）の斜線で示す設定入力ボックス１２の万の位を選択し、数値を増やして桁上げし、設定入力ボックス１２に十万の位を表示する。次に、図５（ｆ）の斜線で示す設定入力ボックス１２の十万の位を選択し、数値を増やして桁上げし、設定入力ボックス１２に百万の位を表示する。そして、図５（ｇ）に示すように、設定入力ボックス１２の百万の位が「１」、その他の位が「０」になるように各桁の数値を増減して調整し、最終的に「１００００００」になるように各桁毎に数値の調整を行う。
【先行技術文献】
【特許文献】
【００１０】
【特許文献１】特開平０６−１４９４３８号公報
【発明の概要】
【発明が解決しようとする課題】
【００１１】
しかしながら、従来のキーパッドを操作して測定パラメータを設定する方法では、測定パラメータの各桁の数値を設定入力ボックス１２に１つずつ入力する必要がある。このため、１つの測定パラメータの桁数や測定パラメータの数が多くなるに連れて非常に煩雑な作業になってしまう。
【００１２】
また、従来のマウスを操作して測定パラメータを設定する方法では、測定パラメータの桁数を設定入力ボックス１２の一の位から一桁ずつ選択して桁上げしながら全ての桁を設定する必要がある。このため、測定パラメータを所望の数値に設定するまでに煩雑で時間がかかるという問題があった。特に、測定パラメータを最大値や最小値に設定する場合には、非常に時間がかかってしまう。
【００１３】
このように、従来のパラメータ設定方法では、特に、数値が大きい整数や小数を測定パラメータの設定値として設定する場合、非常に煩雑な作業となったり、設定を終えるまでに時間を要し、作業効率が悪いという問題があった。
【００１４】
そこで、本発明は上記問題点に鑑みてなされたものであって、測定パラメータを設定する際の作業効率の向上を図ることができる測定装置及び該装置のパラメータ設定方法を提供することを目的としている。
【課題を解決するための手段】
【００１５】
上記目的を達成するため、本発明の請求項１に記載された測定装置は、設定された測定パラメータの設定値に基づいて測定を行う測定装置１において、
前記設定値として設定可能な全桁数の数値を表示する表示制御手段６ａと、
前記全桁数から任意に選択される桁を起点とした増減操作に伴って数値を可変制御する数値制御手段６ｂとを備えたことを特徴とする。
【００１６】
請求項２に記載された測定装置は、請求項１の測定装置において、
前記数値制御手段６ｂは、最大値が正の値をもつ前記設定値とする場合、前記全桁数から最上位の桁を選択して数値を増減しているときに、その数値が最上位の桁の最大値を超えると全桁の数値を前記最大値になるように変更し、最小値が負の値をもつ前記設定値とする場合、前記全桁数から最上位の桁を選択して数値を増減しているときに、その数値が最上位の桁の最小値より小さくなると全桁の数値を前記最小値になるように変更することを特徴とする。
【００１７】
請求項３に記載された測定装置のパラメータ設定方法は、設定された測定パラメータの設定値に基づいて測定を行う測定装置１のパラメータ設定方法において、
前記設定値として設定可能な全桁数の数値を表示するステップと、
前記全桁数から任意に選択される桁を起点とした増減操作に伴って数値を可変制御するステップとを含むことを特徴とする。
【００１８】
請求項４に記載された測定装置のパラメータ設定方法は、請求項３の測定装置のパラメータ設定方法において、
最大値が正の値をもつ前記設定値とする場合、前記全桁数から最上位の桁を選択して数値を増減しているときに、その数値が最上位の桁の最大値を超えると全桁の数値を前記最大値になるように変更し、最小値が負の値をもつ前記設定値とする場合、前記全桁数から最上位の桁を選択して数値を増減しているときに、その数値が最上位の桁の最小値より小さくなると全桁の数値を前記最小値になるように変更するステップを含むことを特徴とする。
【発明の効果】
【００１９】
本発明によれば、測定パラメータを所望の数値に設定する際、入力の煩雑な手順を省いて作業効率の向上を図ることができる。また、設定可能な全桁数を表示させた状態において、最上位の桁を選択して数値を増減する必要最小限の操作で測定パラメータの最大値や最小値を短時間で設定することができる。
【図面の簡単な説明】
【００２０】
【図１】本発明に係る測定装置のブロック構成図である。
【図２】本発明に係る測定装置のパラメータ設定画面の一例を示す部分拡大図である。
【図３】（ａ），（ｂ）本発明に係る測定装置を用いたパラメータ設定方法の一例を示す図である。
【図４】（ａ）〜（ｃ）本発明に係る測定装置を用いたパラメータ設定方法の他の一例を示す図であって、測定パラメータの設定値を最大値に変更する場合の説明図である。
【図５】（ａ）〜（ｇ）従来のパラメータ設定方法の一例を示す説明図である。
【発明を実施するための形態】
【００２１】
以下、本発明を実施するための形態について、添付した図面を参照しながら詳細に説明する。
【００２２】
図１に示すように、本実施の形態の測定装置１は、設定された測定パラメータの設定値に基づいて被測定物Ｗの所望の測定を行うものであり、操作部２、測定部３、記憶部４、表示部５、制御部６を備えて概略構成される。
【００２３】
なお、本実施の形態の測定装置１は、測定パラメータに設定される設定値の数値が有理数や無理数を含む実数であるが、特に、数値が大きい整数や小数を設定値として測定パラメータを設定する場合に有効である。また、本実施の形態では、設定される数値の位取り記数法として１０進数を例にとって説明するが、例えば２進数、８進数、１６進数など１０進数以外であってもよい。
【００２４】
操作部２は、例えば表示部５の表示画面上のポインタやアイコンを操作するマウスやタッチスクリーンなどのポインティングデバイス、装置本体に設けられるキー、スイッチ、ボタンなどを含み、被測定物Ｗの測定開始や停止の指示、表示部５の表示画面に表示する設定画面（例えば図２の設定画面１１）の指定、設定画面上の測定パラメータの設定／変更／参照などを行う際に操作される。
【００２５】
測定部３は、設定された測定パラメータの設定値に基づいて被測定物Ｗの所望の測定を行う。例えば、測定装置１が誤り率測定装置であれば、例えば図２の設定画面１１などで設定した測定パラメータに基づき、被測定物Ｗに既知のパターン信号を入力し、このパターン信号の入力に伴って被測定物Ｗから受信した入力データとパターン信号とを比較して誤り率の測定を行う。
【００２６】
記憶部４は、所望の測定を行うために必要な測定パラメータの情報を記憶する。例えば、誤り率測定であれば、パターン信号の振幅、データパターンのビット数やビット列などの測定パラメータの情報がある。測定パラメータの情報は、例えば最大値、最小値、デフォルト値、分解能（ステップ数）、設定可能な設定値の最大桁数などをテーブル化したデータとして記憶部４に記憶する。また、記憶部４は、設定画面で設定された測定パラメータ毎の設定値を記憶する。さらに、記憶部４は、被測定物Ｗの測定や測定結果に関する各種情報を記憶する。
【００２７】
表示部５は、例えば、装置本体の前面に装備された液晶表示器などで構成される。表示部５は、操作部２の操作に基づく制御部６の制御により、図２に示すような設定画面１１を表示画面上に表示する。
【００２８】
制御部６は、所望の測定（例えば被測定物Ｗの誤り率の測定）を行うにあたって、操作部２、測定部３、記憶部４、表示部５を統括制御するものであり、表示制御手段６ａ、数値制御手段６ｂを含んで構成される。
【００２９】
表示制御手段６ａは、測定パラメータの設定入力ボックス１２が選択されたときに、測定パラメータの設定値として設定可能な全桁数の数値を表示するように表示部５の表示を制御する。
【００３０】
例えば、今、設定入力ボックス１２に表示された数値が「０」、測定パラメータの設定値として設定可能な全桁数が７桁であれば、図２に示すように、測定パラメータの設定入力ボックス１２が選択された時点で「０００００００」を表示する。また、今、設定入力ボックス１２に表示された数値が「２５６」、測定パラメータの設定値として設定可能な全桁数が７桁であれば、測定パラメータの設定入力ボックス１２が選択された時点で「００００２５６」を表示する。さらに、測定パラメータの設定値が小数部を含む場合、例えば、今、設定入力ボックス１２に表示された数値が「０」、設定可能な整数部が７桁、小数部が３桁であって全桁数が１０桁であれば、図２の測定パラメータの設定入力ボックス１２が選択された時点で「０００００００．０００」を表示する。
【００３１】
数値制御手段６ｂは、表示制御手段６ａにて表示された全桁から任意の桁を選択し、選択した桁を起点とする増減操作に伴って数値を可変制御する。
【００３２】
例えば、今、設定入力ボックス１２に表示された数値が「０」、測定パラメータの設定値として設定可能な全桁数が７桁であれば、図２に示すように、測定パラメータの設定入力ボックス１２が選択された時点で「０００００００」が表示され、任意の桁をポインティングデバイスの操作（例えばマウスのクリック操作、タッチスクリーン上でのタップ操作など）にて選択し、選択した桁を起点として、例えばマウスのクリック操作やホイール操作、タッチスクリーン上のフリック操作による増減操作に伴って数値を可変制御する。
【００３３】
また、今、設定入力ボックス１２に表示された数値が「２５６」、測定パラメータの設定値として設定可能な全桁数が１０桁であれば、図２の測定パラメータの設定入力ボックス１２が選択された時点で「０００００００２５６」が表示され、任意の桁をポインティングデバイスの操作（例えばマウスのクリック操作、タッチスクリーン上でのタップ操作）にて選択し、選択した桁を起点として、例えばマウスのクリック操作やホイール操作、タッチスクリーン上のフリック操作による増減操作に伴って数値を可変制御する。尚、小数を含む数値を測定パラメータの設定値として設定する場合にも、上記と同様の手法で設定することができる。
【００３４】
数値制御手段６ｂは、最大値が正の値（０を含む正の実数）をもつ設定値とする場合、測定パラメータの設定値として設定可能な全桁数から最上位の桁を選択し、選択した最上位の桁を起点として数値を増減しているときに、その数値が最上位の桁の最大値（上限値）を超えると、設定値が最大値になるように全桁の数値を変更する。
【００３５】
例えば、図４（ａ）に示すように、測定パラメータの設定値として設定可能な数値の全桁数が７桁で設定入力ボックス１２に「０００００００」が表示され、設定値を最大値「４１９４０４８」に設定する場合は、図４（ｂ）に示すように、「０００００００」の最上位の百万の位を選択し、最上位の百万の位を起点として数値を増やし、その百万の位の数値が「４００００００」の最上位の桁の最大値（上限値）の数値である「４」を超えると、図４（ｃ）に示すように、設定値が最大値「４１９４０４８」になるように全桁数の数値を変更する。
【００３６】
数値制御手段６ｂは、最小値が負の値（負の実数）をもつ設定値とする場合、測定パラメータの設定値として設定可能な全桁数から最上位の桁を選択し、選択した最上位の桁を起点として数値を増減しているときに、その数値が最上位の桁の最小値（下限値）より小さくなると、設定値が最小値になるように全桁の数値を変更する。
【００３７】
例えば、測定パラメータの設定値として設定可能な数値の全桁数が７桁で設定入力ボックス１２に「０００００００」が表示され、設定値を最小値「−７６５４３２１」に設定する場合は、「０００００００」の最上位の百万の位を選択し、最上位の百万の位を起点として数値を減らし、その百万の位の数値が「−７００００００」の最上位の桁の最小値（下限値）の数値である「７」より小さくなると、設定値が最小値「−７６５４３２１」になるように全桁の数値を変更する。
【００３８】
次に、上記のように構成される測定装置１を用いたパラメータ設定方法について具体例を示して説明する。ここでは、図２の設定画面１１の設定項目「Ａｕｘ」における測定パラメータ「Ｄｅｌａｙ」を初期値「０」ｂｉｔから設定値「１００００００」ｂｉｔｓに設定する場合を例にとって説明する。
【００３９】
まず、図２の設定画面１１の設定項目「Ａｕｘ」において、数値を編集する測定パラメータ「Ｄｅｌａｙ」の設定入力ボックス１２を選択する。測定パラメータ「Ｄｅｌａｙ」の設定入力ボックス１２が選択されると、測定パラメータ「Ｄｅｌａｙ」の設定値として設定入力ボックス１２に設定可能な全桁数が表示される。今、測定パラメータ「Ｄｅｌａｙ」の設定値として設定可能な全桁数が７桁なので、図３（ａ）に示すように、設定入力ボックス１２に「０００００００」が表示される。すなわち、設定入力ボックス１２には、設定可能な全桁数の７桁が「０」で表示される。この状態で、図３（ａ）の斜線で示す最上位の桁である７桁目の「０」を選択する。そして、選択した７桁目の「０」を１だけ増やす。これにより、測定パラメータ「Ｄｅｌａｙ」には設定値「１００００００」が設定入力ボックス１２に入力される。
【００４０】
尚、数値を変更したい桁は、ポインティングデバイスの操作（例えばマウスのクリック操作、タッチスクリーン上のタップ操作）によって選択できる。また、設定入力ボックス１２内の数値の変更（増減）は、例えばマウスのクリック操作やホイール操作、タッチスクリーン上のフリック操作で行うことができる。さらに、設定入力ボックス１２に設定された数値は、不図示の確定キーなどを押下して最終的な確定を行うこともできる。
【００４１】
また、初期値（例えば「０」）が表示された状態から測定パラメータの設定入力ボックス１２を選択した時点で設定可能な全桁数の数値が表示するが、この設定可能な全桁数の数値は、測定パラメータの設定入力ボックス１２を選択した時点で前回の設定値を含む全桁数の数値、測定パラメータ毎の最大値と最小値との範囲内における任意の数値を含む全桁数の数値、測定パラメータ毎の任意の数値を含む全桁数の数値、測定パラメータ毎に設定頻度が最も高い数値を含む全桁数の数値として表示することができる。この場合、設定可能な全桁数の数値は、測定パラメータ毎に予め記憶部４に記憶される。
【００４２】
次に、測定装置１を用いたパラメータ設定方法として、測定パラメータの設定値を最大値又は最小値に変更する場合の各例について説明する。ここでは、説明を理解しやすくするため、設定値として設定可能な全桁数を３桁として説明する。
【００４３】
［例１］測定パラメータの設定値の設定範囲が０（最小値）〜２５５（最大値）の場合の変更例
【００４４】
例えば、設定入力ボックス１２に「０００」が現在の設定値として表示されている状態から最大値「２５６」に変更する場合は、最上位の桁である百の位の「０」を選択して数値を増やす。そして、百の位の数値が最上位の桁の最大値（上限値）の数値である「２」を超えると、最大値「２５６」になるように全桁の数値が変更される。すなわち、百の位が「２」、十の位が「５」、一の位が「６」に変更される。
【００４５】
例えば、設定入力ボックス１２に「２１０」が現在の設定値として表示されている状態から最小値「０」に変更する場合は、最上位の桁である百の位の「２」を選択して数値を減らす。そして、百の位の数値が最上位の桁の最小値（下限値）の数値である「０」より小さくなると、最小値「０００」になるように全桁の数値が変更される。すなわち、全ての位が「０」に変更される。
【００４６】
［例２］測定パラメータの設定値の設定範囲が−２５６（最小値）〜２５６（最大値）の場合の変更例
【００４７】
例えば、設定入力ボックス１２に「０１６」が設定値として表示されている状態から最大値「２５６」に変更する場合は、最上位の桁である百の位の「０」を選択して数値を増やす。そして、百の位の数値が最上位の桁の最大値（上限値）の数値である「２」を超えると、最大値「２５６」になるように全桁の数値が変更される。すなわち、百の位が「２」、十の位が「５」、一の位が「６」に変更される。
【００４８】
例えば、設定入力ボックス１２に「−０３６」が設定値として表示されている状態から最小値「−２５６」に変更する場合は、最上位の桁である百の位の「０」を選択して数値を減らす。そして、百の位の数値が最上位の桁の最小値（下限値）の数値である「２」より小さくなると、最小値「−２５６」になるように全桁の数値が変更される。すなわち、百の位が「２」、十の位が「５」、一の位が「６」に変更される。
【００４９】
［例３］測定パラメータの設定値の設定範囲が−２５６（最小値）〜０（最大値）の場合の変更例
【００５０】
例えば、設定入力ボックス１２に「−１２８」が設定値として表示されている状態から最大値「０」に変更する場合は、最上位の桁である百の位の「１」を選択して数値を増やす。そして、百の位の数値が最上位の桁の最大値（上限値）の数値である「０」を超えると、最大値「０００」になるように全桁の数値が変更される。すなわち、全ての位が「０」に変更される。
【００５１】
例えば、設定入力ボックス１２に「−０３２」が設定値として表示されている状態から最小値「−２５６」に変更する場合は、最上位の桁である百の位の「０」を選択して数値を減らす。そして、百の位の数値が最上位の桁の最小値（下限値）の数値である「２」より小さくなると、最小値「−２５６」になるように全桁の数値が変更される。すなわち、百の位が「２」、十の位が「５」、一の位が「６」に変更される。
【００５２】
尚、最大値と最小値とが正の値、又は負の値の場合であっても、上記と同様の方法で設定値を変更することができる。
【００５３】
このように、本実施の形態によれば、測定パラメータを所望の数値に設定する際、設定可能な全桁数を設定入力ボックスに表示させた状態で数値を変更する桁を選択して数値を増減する操作により数値入力の煩雑な手順を省くことができ、作業効率を大きく向上させることができる。そして、本実施の形態では、特に、数値の大きい整数や小数を設定値として測定パラメータを設定する場合に顕著な効果を発揮することができる。
【００５４】
また、設定入力ボックスに設定可能な全桁数を表示させた状態において、最上位の桁を選択して数値を増減すれば、必要最小限の操作により短時間で測定パラメータの最大値や最小値に設定することができる。
【００５５】
ところで、本発明は、採用される測定装置が特に限定されるものではなく、例えば誤り率測定装置、スペクトラムアナライザなどのように、多くの測定パラメータを持ち、測定パラメータ毎に設定可能な最大値や最小値が異なる測定装置に採用すれば、より顕著な効果を発揮することができる。
【００５６】
以上、本発明に係る測定装置及び該装置のパラメータ設定方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５７】
１  測定装置
２  操作部
３  測定部
４  記憶部
５  表示部
６  制御部
６ａ  表示制御手段
６ｂ  数値制御手段
１１  設定画面
１２  設定入力ボックス
Ｗ  被測定物（ＤＵＴ）
【図１】
2018096873.tif 000003
【図２】
2018096873.tif 000004
【図３】
2018096873.tif 000005
【図４】
2018096873.tif 000006
【図５】
2018096873.tif 000007